(57)【要約】【課題】軽快に足ツボの押圧が行われ、しかも個人個人の足の形状に対応し、かつ好みの強さに調節できるようにした足ツボ押圧装置を提供することを目的とする。【解決手段】エアポンプ８が動作し、空気袋７ａ，７ｂ，７ｃに空気が送り込まれる。これにより、空気袋７ａ，７ｂ，７ｃが膨らみピン部材群４−１，４−２，４−３の各押しピン部材４が上昇して、使用者の足裏のツボを押圧する。設定時間経過後、空気袋７ａ，７ｂ，７ｃから空気を流出させることにより、各押しピン部材４が下降する。この押しピン部材４の下降と上昇動作とが繰り返し行われることにより、使用者における足裏のツボに対して適当なマッサージが施工される。【選択図】図６
2013066681.tif 000002
【特許請求の範囲】
【請求項１】
足裏のツボを押圧する足ツボ押圧装置において、
空気袋の上部に配置された押しピン部材と、
前記空気袋に空気を注入して、膨らませる空気注入部材を備え、
前記空気袋が膨らんだ状態で前記押しピン部材を上昇させ、足裏のツボを押圧することを特徴とする足ツボ押圧装置。
【請求項２】
前記押しピン部材を支持基板に複数設置したことを特徴とする請求項１に記載の足ツボ押圧装置。
【請求項３】
前記押しピン部材の前記支持基板における設置状態を可変にしたことを特徴とする請求項１又は２に記載の足ツボ押圧装置。
【請求項４】
前記押しピン部材を前記支持基板に着脱可能に設け、前記押しピン部材の前記支持基板における保持部分に該押しピン部材を保持する弾性部材を設けたことを特徴とする請求項１〜３いずれか１項に記載の足ツボ押圧装置。
【請求項５】
前記押しピン部材による足裏に対する押圧の圧力と時間を設定する設定手段を備えたことを特徴とする請求項１〜４いずれか１項に記載の足ツボ押圧装置。
【請求項６】
請求項１〜４いずれか１項に記載の構成の足ツボ押圧装置を、左右の足にそれぞれ適合させた形状の一対の足ツボ押圧装置部として備えたことを特徴とする足ツボ押圧装置。
【請求項７】
前記足ツボ押圧装置部の上部に足保持部を設け、該足保持部の開口部を閉鎖した状態で足の各部を保持／固定するための保持手段を設けたことを特徴とする請求項６に記載の足ツボ押圧装置。
【発明の詳細な説明】
【技術分野】
【０００１】  本発明は、足裏のツボを押圧してマッサージする足ツボ押圧装置に関するものである。
【背景技術】
【０００２】  足裏のツボは体の臓器と密接につながっていると言われており、そこに理想的な刺激を与えることにより、それと関連があると言われている臓器の働きを高めることが期待できる。【０００３】  足裏マッサージを受けた時に多くの人に具体的に認められる顕著な効果として、施行前に履いていた靴が施行後にはゆるく感じられることが広く知られている。これは、流れが滞っていた血液（オケツ）が指圧によるアシツボへの刺激より解消へと作用することを意味すると考えられている。【０００４】  従来の足ツボマッサージ装置は、足全体をバイブレーションにて揉み解す方法、足全体に圧力を掛ける方法が主流であった。【０００５】  また、足ツボをポイントにて刺激する従来の構造のものとして、機械系にカム機構を利用したものがある（例えば、特許文献１）。
【先行技術文献】
【特許文献】
【０００５】
【特許文献１】特開平８−１３１５００号公報
【発明の概要】
【発明が解決しようとする課題】
【０００６】  従来の足ツボマッサージ装置では、理想とされるマッサージを指で行う場合と比較し、刺激の強弱が激しく個人個人の足の形状、強さの好みに対応できるものではない。【０００７】  本発明は、従来のかかる実情に鑑みてなされたものであり、軽快に足ツボの押圧が行われ、しかも個人個人の足の形状に対応し、かつ好みの強さに調節できるようにした足ツボ押圧装置を提供するものである。
【課題を解決するための手段】
【０００８】  前記課題を達成するため、本発明の足ツボ押圧装置は、足裏のツボを押圧する足ツボ押圧装置において、空気袋の上部に配置された押しピン部材と、前記空気袋に空気を注入して、膨らませる空気注入部材を備え、前記空気袋が膨らんだ状態で前記押しピン部材を上昇させ、足裏のツボを押圧することを特徴とする。【０００９】  また、本発明の足ツボ押圧装置は、前記押しピン部材を支持基板に複数設置したことを特徴とする。【００１０】  また、本発明の足ツボ押圧装置は、前記押しピン部材の前記支持基板における設置状態を可変にしたことを特徴とする。【００１１】  また、本発明の足ツボ押圧装置は、前記押しピン部材を前記支持基板に着脱可能に設け、前記押しピン部材の前記支持基板における保持部分に該押しピン部材を保持する弾性部材を設けたことを特徴とする。【００１２】  また、本発明の足ツボ押圧装置は、前記押しピン部材による足裏に対する押圧の圧力と時間を設定する設定手段を備えたことを特徴とする。【００１３】  さらに、本発明の足ツボ押圧装置は、前記構成の足ツボ押圧装置を、左右の足にそれぞれ適合させた形状の一対の足ツボ押圧装置部として備えたことを特徴とする。【００１４】  また、本発明の足ツボ押圧装置は、前記足ツボ押圧装置部の上部に足保持部を設け、該足保持部の開口部を閉鎖した状態で足の各部を保持／固定するための保持手段を設けたことを特徴とする。
【発明の効果】
【００１５】  本発明の足ツボ押圧装置は、押しピン部材の上下移動が、押しピン部材の下に空気袋を配置し、その吸気袋へ空気を送って空気袋を膨らませる構造になっているため、円滑で心地よい押圧効果が得られる。【００１６】  また、本発明の足ツボ押圧装置は、押しピン部材の抜き差しにより押しピン部材の位置を変えられる構造であるため、使用者の足の形状、大きさに合わせて調整することができ、さらに、空気袋へ送る空気の量を調整することによって、押しピン部材の押圧力あるいは押圧時間を制御することができるなど、多種多様な使用者個々の好みに対応することが可能になる。
【図面の簡単な説明】
【００１７】
【図１】本発明の足ツボ押圧装置の一実施形態を示す全体斜視図である。
【図２】本実施形態における押圧構造部の平面図である。
【図３】本実施形態における押圧構造部の断面図である。
【図４】本実施形態における電気制御系の要部を示すブロック図である。
【図５】（ａ），（ｂ）は本実施形態における押しピン部材の脱着状態を示す断面図である。
【図６】本実施形態における使用状態の一例を示す断面図である。
【図７】（ａ），（ｂ）は本実施形態における使用時の押しピン部材のアップ／ダウン状態を示す断面図である。
【発明を実施するための形態】
【００１８】  以下に本発明の好適な実施形態を図面にて説明する。
【００１９】  図１は本発明の足ツボ押圧装置の一実施形態を示す全体斜視図であり、１，２は右足用と左足用の押圧装置本体であって、それぞれ電気系に接続する電線コード３にて連結している。押圧装置本体１，２の上部には、後で詳述する押しピン部材４と足保持部としてのカバー体５とが設けられている。
【００２０】  カバー体５は、樹脂製のものであり、使用者の足の大小及び形状に対応できるように、かつ足の固定が十分に確保できるように、本例では足の先端部（足の甲部分）を保持する保持部分５ａと、足の後部（足首）を保持する保持部分５ｂとの一対からなっている。
【００２１】  両保持部分５ａ，５ｂは、それぞれ上側が解放されており、解放されている開口から足が自由に出入りできるようになっている。さらに、両保持部分５ａ，５ｂの上側の開口部分には、足を保持部分５ａ，５ｂ内へ入れた状態で確実に保持／固定するため保持手段として、本例では接合／分離が容易な面ファスナー（例えば、マジックテープ：登録商標）Ｔを設けている。
【００２２】  図２に示すように、本実施形態における押圧装置本体１，２の上部に、大別して３か所（足の前部分，足の内側部分，足の後部分）に複数の押しピン部材４からなるピン部材群４−１，４−２，４−３が配設されている。ピン部材群４−１，４−２，４−３は、足の左右の形状、及び足ツボが多く存在する位置に合わせて配設されている。
【００２３】  図３に本実施形態における押圧構造部を示しており、押圧装置本体１，２の内部には、制御系の電気回路が搭載されている回路基板部６と、ピン部材群４−１，４−２，４−３の設置位置の下部に対応させてそれぞれ配された空気袋７ａ，７ｂ，７ｃと、空気袋７ａ，７ｂ，７ｃに空気を送る複数のエアポンプ８とが内蔵されている。
【００２４】  図３において、各押しピン部材４は、支持基板９に保持されており、前部分と後部分におけるピン部材群４−１，４−３を構成する複数の押しピン部材４は、支持基板９に着脱可能に設けられている。この場合、支持基板９には、押しピン部材４を保持するため、環状の弾性部材であるＯリング１０を設け、Ｏリング１０の孔内に押しピン部材４の小径端部を着脱可能に嵌めるようにしている。
【００２５】  図４は本実施形態における電気制御系の要部を示すブロック図であり、電源１１に各部が電気的に接続され、メモリ素子，ＣＰＵ（中央演算処理ユニット）などからなる演算装置１２に対して、使用者による各種設定条件などが、表示部や入力スイッチ部などからなる設定部１３から入力され、演算装置１２から各部に制御／制動条件が設定される。
【００２６】  演算装置１２からの設定出力は、エアポンプ８、及びエアの流出／停止を行うソレノイドバルブ１４などの各駆動部に入って各部を設定状態にする。そして、エアポンプ８を作動させて空気袋７ａ，７ｂ，７ｃに空気を送り込むことにより、各押しピン部材４が上昇する。また、エアポンプ８を作動させずにソレノイドバルブ１４を開くことにより、空気袋７ａ，７ｂ，７ｃから空気が流出することによって、各押しピン部材４が下降することになる。
【００２６】  以下に、本実施形態の足ツボ押圧装置の使用方法／動作について説明する。
【００２７】  図５（ａ），（ｂ）に示すように、前部分と後部分におけるピン部材群４−１，４−３を構成する複数の押しピン部材４は、支持基板９のＯリング１０から押しピン部材４の小径端部を抜き取ることで任意のものを取り外すことができる。これにより、例えば図６に示すように、小さな足の使用者である場合などに、自己の足サイズに合うように押しピン部材４の設置位置を変えることにより、自己の足ツボに適合した位置に押しピン部材４を配することができるようになる。
【００２８】  このようにして、使用者の足に合わせて押しピン部材４を設置した後、電源１１をオンにした後、使用者により、好みに合わせてピン部材群４−１，４−３の押しピン部材４による押圧力と押圧時間とをセットし、動作スイッチをオンにする。動作スイッチのオンにより、エアポンプ８とソレノイドバルブ１４が動作し、空気袋７ａ，７ｂ，７ｃに空気が送り込まれる。これにより図７（ａ）に示すように、空気袋７ａ，７ｂ，７ｃが膨らみ、ピン部材群４−１，４−３の各押しピン部材４が上昇して、使用者の足裏のツボを押圧する。
【００２９】  設定時間が経過後、エアポンプ８を作動させずにソレノイドバルブ１４を開くことにより、空気袋７ａ，７ｂ，７ｃから空気が流出し、これにより図７（ｂ）に示すように、各押しピン部材４が下降する。この押しピン部材４の下降と上昇動作が繰り返し行われることにより、使用者の足裏に対して、その足ツボに適当なマッサージが施工されることになる。
【００３０】  なお、本実施形態の説明のため図示した各部材の形状や寸法などは、図示したものに限定されず、仕様や使用目的等に合わせて適宜設計する必要がある。
【産業上の利用可能性】
【００３１】  本発明は、各種状態において足裏に対するマッサージが可能な構造にすることができ、使用者の足の状態を拘束することがない。よって、使用形態範囲の広い足裏のツボ押圧装置が提供される。
【符号の説明】
【００３２】１，２  押圧装置本体
３  電線コード
４  押しピン部材
４−１，４−２，４−３  ピン部材群
５  カバー体
５ａ，５ｂ  保持部分
６  回路基板部
７ａ，７ｂ，７ｃ  空気袋
８  エアポンプ
９  支持基板
１０  Ｏリング
１１  電源
１２  演算装置
１３  設定部
１４  ソレノイドバルブ
Ｔ  面ファスナー
【図１】
2013066681.tif 000003
【図２】
2013066681.tif 000004
【図３】
2013066681.tif 000005
【図４】
2013066681.tif 000006
【図５】
2013066681.tif 000007
【図６】
2013066681.tif 000008
【図７】
2013066681.tif 000009